(57)【要約】      （修正有）【課題】ドリルジャンボを用いた切羽前方の地山探査において、ビット後方の孔壁を保護すること。【解決手段】切羽前方のトンネル地山探査に用いられ、ドリルジャンボのロッド４の先端に連結されるビット６と、ビット６の後方に配置され、ビット６に対し周方向に摺動可能に連結され、当該連結の位置から後方へ向かいロッド４の全延長に対する一部を囲う非可撓性の保護管２０とを備えるトンネル地山探査装置１０。【選択図】図４
2019015134.tif 000002
【特許請求の範囲】
【請求項１】
切羽前方のトンネル地山探査に用いられ、ドリルジャンボのロッドの先端に連結されるビットと、
前記ビットの後方に配置され、前記ビットに対し周方向に摺動可能に連結され、当該連結の位置から後方へ向かい前記ロッドの全延長に対する一部を囲う非可撓性の保護管と
を備えるトンネル地山探査装置。
【請求項２】
前記保護管の外径は、前記ビットの外径よりも小さい
請求項１に記載のトンネル地山探査装置。
【請求項３】
前記保護管の後方に配置され、前記保護管に連結され、当該連結の位置から切羽に至る領域において前記ロッドを囲うように変形される可撓性の保護シート
を備える請求項１又は２に記載のトンネル地山探査装置。
【発明の詳細な説明】
【技術分野】
【０００１】
本発明は、トンネルの切羽前方の地山を探査する技術に関する。
【背景技術】
【０００２】
トンネルの切羽前方の地山を探査する技術として、ドリルジャンボにより切羽前方の地山を削孔し、削孔機械から出力される各種データ、削孔水の戻り水に含まれるくり粉の性状、湧水の状況、孔壁の画像などの情報を収集し、これらの情報に基づき切羽前方の地山の性状を把握する手法が知られている（例えば、特許文献１）。
【先行技術文献】
【特許文献】
【０００３】
【特許文献１】特開平９−３１７３７２号公報
【発明の概要】
【発明が解決しようとする課題】
【０００４】
ドリルジャンボを用いた切羽前方の地山探査においては、ビットから地山に伝わる振動、地山への戻り水の浸透などの影響により、孔壁の自立性が低下して崩落する場合がある。孔壁が崩落した場合、ビットやロッドが地山に拘束され、削孔及びロッドの回収が不能になるおそれがある。
【０００５】
上記の事情に鑑み、本発明は、ドリルジャンボを用いた切羽前方の地山探査において、ビット後方の孔壁を保護する技術を提供する。
【課題を解決するための手段】
【０００６】
本発明は、切羽前方のトンネル地山探査に用いられ、ドリルジャンボのロッドの先端に連結されるビットと、前記ビットの後方に配置され、前記ビットに対し周方向に摺動可能に連結され、当該連結の位置から後方へ向かい前記ロッドの全延長に対する一部を囲う非可撓性の保護管とを備えるトンネル地山探査装置を第１の態様として提案する。
第１の態様のトンネル地山探査装置において、前記保護管の外径は、前記ビットの外径よりも小さい、という構成が第２の態様として採用されてもよい。
第１又は第２の態様のトンネル地山探査装置において、前記保護管の後方に配置され、前記保護管に連結され、当該連結の位置から切羽に至る領域において前記ロッドを囲うように変形される可撓性の保護シートを備える、という構成が第３の態様として採用されてもよい。
【発明の効果】
【０００７】
本発明によれば、ドリルジャンボを用いた切羽前方の地山探査において、ビット後方の孔壁を保護することができる。
【図面の簡単な説明】
【０００８】
【図１】トンネル地山探査装置１０を示す図。
【図２】切羽Ｋを示す図。
【図３】図２に示すＡ−Ａ断面の断面図。
【図４】トンネル地山探査装置１０の平面図。
【図５】ビット６、保護管２０及びロッド４を示す縦断面図。
【図６】保護管２０、中継管３０及び保護シート４０を示す縦断面図。
【図７】後方側から見た中継管３０を示す図。
【図８】保護部材５０を示す図。
【図９】切断部材６０を備えた構成の縦断面図。
【図１０】切断部材６０を備えた構成を後方から見た側面図。
【図１１】切断部材６０を備えた構成の縦断面図。
【図１２】連結リング７０を備えた構成の縦断面図。
【図１３】連結リング７０を備えた構成を後方から見た側面図。
【図１４】保護管を備えない構成を示す縦断面図。
【発明を実施するための形態】
【０００９】
本発明を実施するための形態の一例について説明する。
図１は、トンネル地山探査装置１０を示す図である。図２は、切羽Ｋを示す図である。図３は、図２に示すＡ−Ａ断面の断面図である。ドリルジャンボ１は、ガイドセル２、ドリフタ３、ロッド４、セントライザ５、ビット６を備える。ロッド４は、ガイドセル２に設けられたセントライザ５により芯出しされる。ビット６は、ロッド４の先端に連結され、ロッド４を介してドリフタ３から与えられる回転力、打撃力、推進力により、切羽前方に向かい地山を削孔する。
【００１０】
図４は、トンネル地山探査装置１０の平面図である。トンネル地山探査装置１０は、ビット６、保護管２０、中継管３０、ロッド４、保護シート４０を備える。
【００１１】
図５は、ビット６、保護管２０及びロッド４を示す縦断面図である。保護管２０は、ビット６の後方に配置され、ビット６に対し周方向に摺動可能に連結され、当該連結の位置から後方に向かいロッド４の全延長に対する一部を囲う非可撓性の管である。保護管の外径は、ビットの外径より小さい。具体的には、保護管２０は、鋼管、樹脂管など、非可撓性の管であればいかなるものでもよい。ビット６の後方側の端部の外周には周方向に溝６ａが形成され、保護管２０の前方側の端部の内周には周方向に延びる凸部２１が形成されている。保護管２０の凸部２１がビット６の溝６ａにはめ込まれることにより、保護管２０がビット６に対し周方向に摺動可能に連結される。
【００１２】
ビット６の後方側の端部には、雌ネジ部６ｂが形成されている。ロッド４の前方側の端部には、外径が拡大された拡径部４ａが設けられている。拡径部４ａの外周には、ビット６の雌ネジ部６ｂに対応する雄ネジ部４ｂが形成されており、拡径部４ａがビット６の後方側の端部に連結される。削孔水は、ロッド４の中空部を通じてビット６に供給され、ビット６内部の流路６ｃを経由してビット６の先端から噴射される。
【００１３】
図６は、保護管２０、中継管３０及び保護シート４０を示す縦断面図である。図７は、後方側から見た中継管３０を示す図である。中継管３０は、保護管２０の後方に配置され、保護管２０を介してビット６に対し周方向に摺動可能に連結された非可撓性の管である。具体的には、中継管３０は、鋼管、樹脂管など、非可撓性の管であればいかなるものでもよい。中継管３０は、前方側に配置される第１管部３１と、後方側に配置される第２管部３２とを有する。第１管部３１と第２管部３２とはベアリング３３を介して連結されており、第２管部３２は第１管部３１に対し周方向に摺動可能である。
【００１４】
保護管２０の後方側の端部には、雌ネジ部２２が形成されている。第１管部３１の前方側の端部には、保護管２０の雌ネジ部２２に対応する雄ネジ部３４が形成されており、第１管部３１の前方側の端部が保護管２０の後方側の端部に連結される。
【００１５】
保護シート４０は、中継管３０の後方に配置され、中継管３０に連結され、当該連結の位置から切羽Ｋに至る領域においてロッド４を囲うように筒状に変形される可撓性のシートである。具体的には、保護シート４０は、ビニールなど、可撓性を有する材料で作製され、外力が加わらないときには平板であり、外力が加えられるとその外力に応じた形状に変形し、外力が取り除かれると平板に戻るという性質を有する。
【００１６】
第２管部３２の外周には、周方向の溝３５が形成されている。保護シート４０は、第２管部３２の外周に巻き付けられる。このとき、保護シート４０の前方側の端部が溝３５に重なるように保護シート４０が配置され、保護シート４０の外周に環状の固定部材４１が配置される。固定部材４１は、カシメの一種であり、外側から第２管部３２に押圧されて塑性変形することで保護シート４０が第２管部３２に連結される。
【００１７】
保護シート４０の幅は、中継管３０の外周の周長よりも広く、図４に示すように、天端において保護シート４０の端部同士に重なりが生じるように配置される。保護シート４０は、孔内では孔壁に沿って筒状に変形される。
【００１８】
なお、保護シート４０は、無色透明であることが望ましい。無色透明な保護シート４０に覆われた孔壁をファイバースコープなどの撮影手段を用いて撮影することで、孔壁の観察が可能となる。
【００１９】
図８は、保護部材５０を示す図である。（ａ）は、正面図である。（ｂ）は、側面図である。保護部材５０は、削孔される孔に挿入される円筒状部５１と、円筒状部５１の後端部から切羽Ｋに向かい拡径する円錐状部５２とを備え、トンネル地山との接触による保護シートの損傷を防止する。
【００２０】
本実施形態によれば、非可撓性の保護管によりビット後方の孔壁が保護される。保護管はビットに対して周方向に摺動可能であるため、保護管はビットの駆動を妨げない。また、保護管の外径はビットの外径より小さいから、保護管が地山に拘束されにくい。
【００２１】
上記の実施形態が以下のように変形されてもよい。また、複数の変形例が組合わされてもよい。
【００２２】
［変形例１］
図９、図１１は、切断部材６０を備えた構成の縦断面図である。図１０は、切断部材６０を備えた構成を後方から見た側面図である。切断部材６０は、中継管３０に取り付けられ、ビット６との連結が解かれたロッド４がビット６により削孔された孔から引き抜かれるときに、ロッド４の拡径部４ａによって中継管３０の直径方向に押されて保護シート４０に切れ目を入れる。具体的には、切断部材６０は、中継管３０の第２管部３２の後方側の端部に取り付けられており、外力が作用していないときに図９に示す姿勢を維持するようにバネ力が作用している。このとき、切断部材６０の先端は保護シート４０に接触しない位置にある。
【００２３】
ロッド４が引き抜かれるとき、ロッド４の拡径部４ａが切断部材６０を後方へ押すことで切断部材６０が回転し（図１１参照）、切断部材６０の先端が保護シート４０に押し当てられ、保護シート４０に切れ目が入る。図１０に示すように周方向に複数の切断部材６０材が配置されているため、保護シート４０には周方向に複数の切れ目が入る。複数の切れ目が入った保護シート４０を重機などを用いて後方へ引っ張ることにより、切れ目の位置で保護シート４０が引きちぎられる。
【００２４】
［変形例２］
図１２は、連結リング７０を備えた構成の縦断面図である。図１３は、連結リング７０を備えた構成を後方から見た側面図である。連結リング７０は、中継管３０の内側に配置され、中継管３０との間に保護シート４０を挟み込むことによって中継管３０に対し保護シート４０を連結する。具体的には、保護シート４０は、中継管３０の第２管部３２の内側に挿入され、筒状となる。連結リング７０は、例えば環の一部が欠損した環状の部材である。外力が作用していないとき、連結リング７０の外径は第２管部３２の内径より大きい。径が縮まるように押し縮めた連結リング７０を保護シート４０で覆われた第２管部３２の内側に挿入し、連結リング７０から外力を取り去ると、連結リング７０の外周面が保護シート４０を介して第２管部３２の内面に押し当てられる。こうして、中継管３０に保護シート４０が連結される。
【００２５】
中継管３０に保護シート４０が連結されたとき、連結リング７０の内径は、ロッド４の拡径部４ａの外径よりも小さい。連結リング７０は、ビット６との連結が解かれたロッド４がビット６により削孔された孔から引き抜かれるときに、ロッド４を引抜く力が連結リング７０と保護シート４０との摩擦抵抗を上回ると、ロッド４の拡径部４ａによって連結リング７０が後方へと押されて移動し、ロッド４とともに連結リング７０が中継管３０から引き抜かれる。こうして、連結リング７０の後方への移動に伴い中継管３０と保護シート４０との連結が解除される。
【００２６】
［変形例３］
図１４は、保護管２０を備えない構成を示す縦断面図である。中継管３０の第１管部３１の前方側の端部の内周には周方向に延びる凸部３６が形成されている。凸部３６がビット６の溝６ａにはめ込まれることにより、中継管３０がビット６に対し周方向に摺動可能に連結される。
【符号の説明】
【００２７】
１…ドリルジャンボ、２…ガイドセル、３…ドリフタ、４…ロッド、５…セントライザ、６…ビット、１０…トンネル地山探査装置、２０…保護管、３０…中継管、４０…保護シート、５０…保護部材、６０…切断部材、７０…連結リング
【図１】
2019015134.tif 000003
【図２】
2019015134.tif 000004
【図３】
2019015134.tif 000005
【図４】
2019015134.tif 000006
【図５】
2019015134.tif 000007
【図６】
2019015134.tif 000008
【図７】
2019015134.tif 000009
【図８】
2019015134.tif 000010
【図９】
2019015134.tif 000011
【図１０】
2019015134.tif 000012
【図１１】
2019015134.tif 000013
【図１２】
2019015134.tif 000014
【図１３】
2019015134.tif 000015
【図１４】
2019015134.tif 000016